(57)【要約】【課題】  装置に装填するときにシート状記録材料を装置側に確実に案内でき、また、記録材料の出口側を下側にして置くことのできる記録材料用カートリッジを提供する。【解決手段】  この記録材料用カートリッジは、カートリッジ筐体１１内にシート状記録材料Ｓをロール状にして収容し装置に対し装填可能なものであって、装置に装填されたとき装置側のローラ２０とともにシート状記録材料を搬送する搬送ローラ対を構成するローラ１６と、カートリッジ筐体に突き出るようにして設けられローラを収容するローラ収容部１５と、シート状記録材料をローラの近傍においてガイドするガイド部１７，１８と、を備え、装置に装填されたときガイド部において搬送ローラ対が構成される。【選択図】  図１
2006225141.tif 000002
【特許請求の範囲】
【請求項１】
カートリッジ筐体内にシート状記録材料をロール状にして収容し装置に対し装填可能な記録材料用カートリッジであって、
前記装置に装填されたとき前記装置側のローラとともに前記シート状記録材料を搬送する搬送ローラ対を構成するローラと、
前記カートリッジ筐体に突き出るようにして設けられ前記ローラを収容するローラ収容部と、
前記シート状記録材料を前記ローラの近傍においてガイドするガイド部と、を備え、
前記装置に装填されたとき前記ガイド部において前記搬送ローラ対が構成されることを特徴とする記録材料用カートリッジ。
【請求項２】
前記ガイド部は、前記カートリッジ筐体の外周部と、前記カートリッジ筐体から突き出た前記ローラ収容部と、を結ぶ接線よりも前記カートリッジ筐体に対し内側に位置するように構成されたことを特徴とする請求項１に記載の記録材料用カートリッジ。
【請求項３】
前記ガイド部は、前記カートリッジ筐体の外面側で前記シート状記録材料をガイドすることを特徴とする請求項１または２に記載の記録材料用カートリッジ。
【請求項４】
前記ローラ収容部の一部の平面部が前記ガイド部の一部を構成することを特徴とする請求項１，２または３に記載の記録材料用カートリッジ。
【請求項５】
前記装置側のローラが複数の分割ローラから構成され、前記ガイド部が前記複数の分割ローラに対応した複数の切欠部を有し、
前記装置に装填されたとき、前記複数の分割ローラが前記ガイド部の複数の切欠部を通して前記ローラと前記搬送ローラ対を構成することを特徴とする請求項１乃至４のいずれか１項に記載の記録材料用カートリッジ。
【請求項６】
前記ガイド部の上流側に前記シート状記録材料を前記カートリッジ筐体内から外部に搬出する搬出口が設けられていることを特徴とする請求項１乃至５のいずれか１項に記載の記録材料用カートリッジ。
【請求項７】
前記カートリッジ筐体は前記ローラ収容部により前記装置に対して非対称な形状に構成されていることを特徴とする請求項１乃至６のいずれか１項に記載の記録材料用カートリッジ。
【発明の詳細な説明】
【技術分野】
【０００１】
本発明は、シート状記録材料をロール状にして収容し装置に装填可能な記録材料用カートリッジに関するものである。
【背景技術】
【０００２】
下記特許文献１は、ロール状記録材料を収容し装置に装填するカートリッジタイプのマガジンを開示する（要約、図４、図７）。図４のように、特許文献１のマガジン１００は、ロール状の印画紙１０１を収容し印画紙の先端１０５が内部のローラ対１０２により外部に供給されるようになっており、装置の載置面１０４にセットされると、印画紙１０１はその先端１０５から装置内のローラ対１０３で装置内に供給される。
【０００３】
下記特許文献２は、感光体がロール状に巻かれた状態で収容され複写機に装填されるカートリッジタイプのマガジンを開示する（要約、図１）。図５のように、特許文献２のマガジン１２０には内部の感光体を繰り出すための感光体誘導部１２４及び感光体繰出部１２５が突出して形成されており、感光体誘導部１２４には感光体の先端１２１を引き出すための複写機側の引き出しローラ対と嵌合する切欠部１２８が設けられている。
【０００４】
しかし、図４のマガジン１００によれば、マガジン１００を装置に装填するとき、印画紙の先端１０５を装置側のローラ対１０３に確実に案内することが困難である。また、図５のマガジン１２０によれば、感光体誘導部１２４で感光体の先端１２１を案内できるが、マガジン１２０の脱着のとき等において、感光体誘導部１２４及び感光体繰出部１２５が突出しているため、感光体の出口部分を下側にして置くことができず、マガジンの脱着作業等が面倒となり、作業性の悪いものとなってしまい、誤って感光体の出口部分を下側にして置くと、破損のおそれが生じてしまう。
【特許文献１】特開平５−１２７２６１号公報
【特許文献２】特開平７−２０５２０号公報
【発明の開示】
【発明が解決しようとする課題】
【０００５】
本発明は、上述のような従来技術の問題に鑑み、装置に装填するときにシート状記録材料を装置側に確実に案内でき、また、記録材料の出口側を下側にして置くことのできる記録材料用カートリッジを提供することを目的とする。
【課題を解決するための手段】
【０００６】
上記目的を達成するために、本発明による記録材料用カートリッジは、カートリッジ筐体内にシート状記録材料をロール状にして収容し装置に対し装填可能な記録材料用カートリッジであって、前記装置に装填されたとき前記装置側のローラとともに前記シート状記録材料を搬送する搬送ローラ対を構成するローラと、前記カートリッジ筐体に突き出るようにして設けられ前記ローラを収容するローラ収容部と、前記シート状記録材料を前記ローラの近傍においてガイドするガイド部と、を備え、前記装置に装填されたとき前記ガイド部において前記搬送ローラ対が構成されることを特徴とする。
【０００７】
この記録材料用カートリッジによれば、カートリッジが装置に装填されたとき、ガイド部においてローラ収容部内のローラが装置側のローラとともにシート状記録材料を搬送する搬送ローラ対を構成するので、シート状記録材料を装置側に確実に案内できる。
【０００８】
上記記録材料用カートリッジにおいて前記ガイド部は、前記カートリッジ筐体の外周部と、前記カートリッジ筐体から突き出た前記ローラ収容部と、を結ぶ接線よりも前記カートリッジ筐体に対し内側に位置するように構成されることで、記録材料の出口側を下側にして置くことが可能となり、記録材料の出口側を保護することができる。
【０００９】
また、前記ガイド部は、前記カートリッジ筐体の外面側で前記シート状記録材料をガイドするように構成できる。また、前記ローラ収容部の一部の平面部が前記ガイド部の一部を構成するようにできる。
【００１０】
また、前記装置側のローラが複数の分割ローラから構成され、前記ガイド部が前記複数の分割ローラに対応した複数の切欠部を有し、前記装置に装填されたとき、前記複数の分割ローラが前記ガイド部の複数の切欠部を通して前記ローラと前記搬送ローラ対を構成するようにできる。
【００１１】
また、前記ガイド部の上流側に前記シート状記録材料を前記カートリッジ筐体内から外部に搬出する搬出口が設けられていることが好ましい。なお、カートリッジ筐体内には、搬出口の上流側にシート状記録材料を搬送する内部搬送ローラが設けられていることが好ましい。
【００１２】
また、前記カートリッジ筐体は前記ローラ収容部により前記装置に対して非対称な形状に構成されることで、装置に装填位置を誤って装填することを防止できる。
【発明の効果】
【００１３】
本発明の記録材料用カートリッジによれば、装置に装填するときにシート状記録材料を装置側に確実に案内でき、また、記録材料の出口側を下側にして置くことができ、記録材料の出口側を保護できる。
【発明を実施するための最良の形態】
【００１４】
以下、本発明を実施するための最良の形態について図面を用いて説明する。図１は本実施の形態による記録材料用カートリッジの内部を正面から見た図である。図２は図１の記録材料用カートリッジの先端要部を図１の矢印方向Ａから見た図である（装置側の駆動ローラ２０は記録材料用カートリッジの筐体１１から離れた状態で図示している）。
【００１５】
図１に示すように、記録材料用カートリッジ１０は、カートリッジの外形を構成するとともに長尺のシート状記録材料Ｓを巻芯部材１３にロール状に巻回した状態で収容可能なカートリッジ筐体１１と、カートリッジ筐体１１を手で持つための取手１２と、シート状記録材料Ｓを外部に搬送するための内部搬送ローラ対１４と、を備える。カートリッジ筐体１１は、シート状記録材料Ｓの幅寸法に対応して図１の紙面垂直方向に延びて長く構成されている。なお、記録材料Ｓは、銀塩感光材料とすることができるが、これに限定されるものではない。
【００１６】
記録材料用カートリッジ１０は、更に、カートリッジ筐体１１から突き出るように延びて筐体１１と一体に構成された突出部１５を内部搬送ローラ対１４の近傍に有し、突出部１５内にはローラ１６が従動回転可能に収容されている。
【００１７】
従動ローラ１６は、記録材料用カートリッジ１０が装置に装填されたとき、図１の破線で示す装置側の駆動ローラ２０とともに搬送ローラ対を構成し、ローラ間にシート状記録材料Ｓを挟んで搬送するようになっている。
【００１８】
装置側の駆動ローラ２０は、図２のように、複数の分割ローラ２０ａと、各分割ローラ２０ａを一体に回転させるように連結した回転軸２０ｂと、を有する。回転軸２０ｂは、装置側のモータ等の回転駆動手段により回転駆動される。
【００１９】
図１のように、カートリッジ筐体１１には、内部搬送ローラ対１４の図の直下に搬出口１９が形成されている。この搬出口１９を通してシート状記録材料Ｓを先端部Ｓ１から外部に搬出できる。
【００２０】
また、カートリッジ筐体１１は突出部１５において搬出口１９から図の下方に延びるように形成された壁面を有し、この壁面が平面状の第１のガイド部１７を構成している。
【００２１】
また、板状の第２のガイド部１８が第１のガイド部１７と対向して所定の隙間を形成するように内部搬送ローラ対１４の近傍でカートリッジ筐体１１から図の下方に延びている。
【００２２】
上述のようにして、第１のガイド部１７及び第２のガイド部１８は所定隙間を有する二重壁を構成しており、搬出口１９から搬出されたシート状記録材料Ｓを隙間に通して二重壁でガイドする。
【００２３】
また、図１，図２のように、第１，第２のガイド部１７，１８（図２には第２のガイド部１８のみ示されている）は、略矩形状に形成された複数の切欠部１８ａを有して櫛形状に形成されており、突出部１５では切欠部１８ａを通してローラ１６が外部から見えるようになっている。
【００２４】
記録材料用カートリッジ１０が装置に装填されたとき、装置側の駆動ローラ２０は複数の分割ローラ２０ａが第１、第２のガイド部１７，１８の複数の切欠部１８ａを通してカートリッジ１０側の従動ローラ１６に接近し搬送ローラ対を構成できる。
【００２５】
また、図１のように、カートリッジ筐体１１の突出部１５は、記録材料用カートリッジ１０が装置に装填されたとき、突出部１５内のローラ１６が破線で示す装置側の駆動ローラ２０と対向できるような形状となっているが、その駆動ローラ２０に最も接近する第２のガイド部１８は、筐体１１の外周の接点ａと、突出部１５の先端側の接点ｂとを結ぶ一点鎖線で示す接線Ｃよりも内側に位置するように配置されている。このように第２のガイド部１８が接線Ｃの内側に位置することで、記録材料用カートリッジ１０の着脱や記録材料の詰替等の作業等において、記録材料用カートリッジ１０を接点ａと接点ｂが接するような作業面上に置くことができる。これにより、カートリッジ筐体１１の外面に設けられた第２のガイド部１８を保護することができる。
【００２６】
上述のように、本実施の形態の記録材料用カートリッジ１０では、記録材料の出口を２枚のガイドで構成するのではなく、一方（第１のガイド部１７）をローラ１６を収容するカートリッジ筐体１１の一部である突出部１５の壁面で構成し、他方（第２のガイド部１８）を突出部１５の先端とカートリッジ筐体１１の外周との接線Ｃよりも内側に配置することで、記録材料の出口側、特に第２のガイド部１８を保護することができる。
【００２７】
次に、図１，図２の記録材料用カートリッジ１０を装填可能な露光装置について図３を参照して説明する。図３は、図１の記録材料用カートリッジを露光装置に装填した状態を概略的に示す要部正面図である。
【００２８】
図３に示すように、露光装置３１は、その装填面３０から図１の記録材料用カートリッジ１０が装填されると、カートリッジ１０を保持部３０ａで保持するとともに、カートリッジ１０側の従動ローラ１６と装置３１側の駆動ローラ２０とが第１及び第２のガイド部１７，１８において記録材料が装置３１内に向けて搬送可能になる。この場合、カートリッジ１０に収容される記録材料は銀塩感光材料からなる。
【００２９】
露光装置３１は、上述の駆動ローラ２０と、駆動ローラ２０の下方に設けられカートリッジ１０から送られた破線で示すシート状記録材料Ｓを所定長さにカットするカット部２１と、カット部２１の直下からほぼ下方に延びて記録材料Ｓをガイドするガイド２２と、ガイド２２からの記録材料Ｓを更に搬送する搬送する搬送ローラ対２３と、搬送ローラ対２３で送られてきた記録材料Ｓを従動ローラ２４との間を通して外周に巻き付けて吸着し回転方向Ｒに回転する露光ドラム２５と、を備える。
【００３０】
露光装置３１は、露光ドラム２５上に吸着されて保持された記録材料に対し、画像データに基づいて変調されたＬＥＤ光やレーザ光等の光ビームＬを露光し記録材料に潜像を形成する光学ユニット２６と、光学ユニット２６を副走査のために副走査方向（図１の紙面垂直方向）に搬送する副走査部２７と、を備える。光学ユニット２６は副走査部２７により副走査されながら露光ドラム２５が回転方向Ｒに回転されて主走査されることで露光が行われ、記録材料に画像が形成される。なお、露光済みの記録材料（感光材料）は現像装置で現像される。
【００３１】
上述の露光装置３１に図１の記録材料用カートリッジ１０が装填されると、カートリッジ側のローラ１６が装置側のローラ２０と接近し、搬送ローラ対を構成するが、このとき、図１のガイド部１７，１８の間にシート状記録材料の先端部Ｓ１を引き出しておけば、先端部Ｓ１が自動的にローラ１６とローラ２０との間に挟まれるので、シート状記録材料Ｓを露光装置３１側に確実に案内することができる。そして、内部搬送ローラ対１４及び駆動ローラ２０を駆動することで、カートリッジ１０内のシート状記録材料Ｓを下流側に給送することができる。
【００３２】
また、記録材料用カートリッジ１０は、図１のように、突出部１５がカートリッジ筐体１１の図の下方の左側に位置しているので、図１の正面から見た状態で、左右が非対称な形状になっている。このため、記録材料用カートリッジ１０を露光装置３１に装填するとき、装填位置を誤って装填することを防止できる。
【００３３】
以上のように本発明を実施するための最良の形態について説明したが、本発明はこれらに限定されるものではなく、本発明の技術的思想の範囲内で各種の変形が可能である。例えば、本実施の形態では、記録材料用カートリッジ側のローラ１６を従動回転としてが、駆動ローラとしてもよい。また、本発明による記録材料用カートリッジは、図３のような露光装置だけに適用されるものではなく、各種の画像形成装置・画像記録装置に適用できることは勿論である。
【００３４】
また、記録材料用カートリッジは、図３では、搬出口１９が鉛直方向下側を向くように装填されたが、搬出口１９が斜め下方向や水平方向を向くように装填するようにしてもよい。
【図面の簡単な説明】
【００３５】
【図１】本実施の形態による記録材料用カートリッジの内部を正面から見た図である。
【図２】図１の記録材料用カートリッジの先端要部を図１の矢印方向Ａから見た図である。
【図３】図１の記録材料用カートリッジを露光装置に装填した状態を概略的に示す要部正面図である。
【図４】ロール状記録材料を収容し装置に装填する従来のカートリッジタイプのマガジンの内部を正面側から見た図である。
【図５】感光体がロール状に巻かれた状態で収容され複写機に装填される従来の別のカートリッジタイプのマガジンを示す斜視図である。
【符号の説明】
【００３６】
１０ 記録材料用カートリッジ
１１ カートリッジ筐体
１４ 内部搬送ローラ対
１５ 突出部（ローラ収容部）
１６ ローラ、従動ローラ
１７ 第１のガイド部
１８ 第２のガイド部
１８ａ 切欠部
１９ 搬出口
２０ 装置側のローラ、駆動ローラ
２０ａ 分割ローラ
２５ 露光ドラム
３１ 露光装置
Ｓ シート状記録材料
Ｓ１ 先端部
ａ 接点
ｂ 接点
Ｃ 接線
【図１】
2006225141.tif 000003
【図２】
2006225141.tif 000004
【図３】
2006225141.tif 000005
【図４】
2006225141.tif 000006
【図５】
2006225141.tif 000007